(57)【要約】【課題】  整備性が改善された照明システムを提供する。【解決手段】  所定の被照面を照明する電気的な光源ＬＡに対し点灯のための電力を出力する点灯部１と、時刻を計時する計時部２と、被照面の照度に応じた照度電圧を出力する照度検出部４と、予め所定の目標照度電圧が対応付けられた照度一定期間が少なくとも１個格納された記憶部３と、計時部２によって計時されている時刻が照度一定期間のいずれかに該当している期間には該照度一定期間に対応付けられた目標照度電圧に対して照度電圧を一致させるように点灯部１を制御する制御部６とを備える。照度検出部４の出力が電圧信号（照度電圧）であることにより、照度検出部４の点検を行う場合には単に照度検出部４の出力電圧を見ればよく、照度検出部４の出力が電流信号である場合と違って点検時に回路を切断する必要がないから、整備性が改善される。【選択図】図１
2011233427.tif 000002
【特許請求の範囲】
【請求項１】
入力される電力に応じた光出力で所定の被照面を照明する電気的な光源に対し点灯のための電力を出力する点灯部と、
時刻を計時する計時部と、
前記被照面の照度に応じた照度電圧を出力する照度検出部と、
予め所定の目標照度電圧が対応付けられた時間帯である照度一定期間が少なくとも１個格納された記憶部と、
前記計時部によって計時されている時刻が前記照度一定期間のいずれかに該当している期間には該照度一定期間に対応付けられた目標照度電圧に対して前記照度電圧を一致させるように前記点灯部をフィードバック制御するという照度一定制御を行う制御部とを備えることを特徴とする照明システム。
【請求項２】
前記記憶部には、予め所定の光出力が対応付けられた時間帯である光出力一定期間が少なくとも１個格納されていて、
前記制御部は、前記計時部によって計時されている時刻が前記光出力一定期間のいずれかに該当している期間には該光出力一定期間に対応付けられた光出力に対して前記光源の光出力を一致させるように前記点灯部を制御するという光出力一定制御を行うことを特徴とする請求項１記載の照明システム。
【請求項３】
所定の検出範囲における人体の存否を判定する人体検出部を備え、
前記制御部は、前記人体検出部により人体が存在しないと判定されている期間には前記光源を消灯させるように前記点灯部を制御することを特徴とする請求項１又は請求項２記載の照明システム。
【発明の詳細な説明】
【技術分野】
【０００１】
本発明は、照明システムに関するものである。
【背景技術】
【０００２】
従来から、電気的な光源を点灯させる点灯部と、この光源によって照明される被照面の照度を検出する照度検出部と、目標照度が格納された記憶部と、照度検出部によって検出される照度を目標照度に一致させように光源の光出力をフィードバック制御する制御部とを備える照明システムが提供されている（例えば、特許文献１参照）。
【０００３】
上記の照明システムにおいては、一定の照度を確保しながらも、上記の電気的な光源以外の太陽等の光源からの光（以下、「外光」と呼ぶ。）が強いときには光源の光出力を低下させることで消費電力を抑えることができる。
【先行技術文献】
【特許文献】
【０００４】
【特許文献１】特開２００４−３４９０６５号公報
【発明の概要】
【発明が解決しようとする課題】
【０００５】
ここで、照度検出部の出力が電流信号であった場合、照度検出部の出力を確認するには回路を一旦切断して電流検出用の抵抗等を挿入する必要があり、整備性が低くなる。
【０００６】
本発明は、上記事由に鑑みて為されたものであり、その目的は、整備性が改善された照明システムを提供することにある。
【課題を解決するための手段】
【０００７】
本発明の照明システムは、入力される電力に応じた光出力で所定の被照面を照明する電気的な光源に対し点灯のための電力を出力する点灯部と、時刻を計時する計時部と、前記被照面の照度に応じた照度電圧を出力する照度検出部と、予め所定の目標照度電圧が対応付けられた時間帯である照度一定期間が少なくとも１個格納された記憶部と、前記計時部によって計時されている時刻が前記照度一定期間のいずれかに該当している期間には該照度一定期間に対応付けられた目標照度電圧に対して前記照度電圧を一致させるように前記点灯部をフィードバック制御するという照度一定制御を行う制御部とを備えることを特徴とする。
【０００８】
この照明システムにおいて、前記記憶部には、予め所定の光出力が対応付けられた時間帯である光出力一定期間が少なくとも１個格納されていて、前記制御部は、前記計時部によって計時されている時刻が前記光出力一定期間のいずれかに該当している期間には該光出力一定期間に対応付けられた光出力に対して前記光源の光出力を一致させるように前記点灯部を制御するという光出力一定制御を行うことが望ましい。
【０００９】
また、この照明システムにおいて、所定の検出範囲における人体の存否を判定する人体検出部を備え、前記制御部は、前記人体検出部により人体が存在しないと判定されている期間には前記光源を消灯させるように前記点灯部を制御することが望ましい。
【発明の効果】
【００１０】
本発明によれば、照度検出部の出力が電圧信号（照度電圧）であることにより、照度検
出部の点検を行う場合には単に照度検出部の出力電圧を見ればよく、照度検出部の出力が電流信号である場合と違って点検時に回路を切断する必要がないから、整備性が改善される。
【図面の簡単な説明】
【００１１】
【図１】本発明の実施形態を示すブロック図である。
【発明を実施するための形態】
【００１２】
以下、本発明を実施するための最良の形態について、図面を参照しながら説明する。
【００１３】
本実施形態の照明システムは、図１に示すように、電気的な光源ＬＡを点灯させる点灯部１と、時刻を計時する計時部２と、時間帯毎の制御内容が格納された記憶部３と、照度を検出する照度検出部４と、人体を検出する人体検出部５と、点灯部１を制御する制御部６と、計時部２における時刻の設定や記憶部３における時間帯や制御内容の入力を受け付ける入力部７と、制御部６に制御されて各種の表示を行う表示部８とを備える。なお、上記の全てを有する１個の装置で照明システムを構成してもよいが、有線信号又は無線信号により相互に通信を行う複数個の装置で照明システムを構成してもよい。例えば、点灯部１を有して光源ＬＡを保持した照明装置（図示せず）と、照度検出部４を有する照度検出装置（図示せず）と、人体検出部５を有する人体検出装置（図示せず）と、計時部２と記憶部３と制御部６と入力部７と表示部７とを有する制御装置（図示せず）との４個の装置で照明システムを構成する。上記のような装置間の通信は周知技術で実現可能であるので、詳細な図示並びに説明は省略する。
【００１４】
以下、各部について具体的に説明する。
【００１５】
光源ＬＡとしては例えば白熱灯や放電灯や発光ダイオードといった周知の電気的光源を用いることができる。点灯部１は、光源ＬＡとして放電灯が用いられる場合には周知の電子安定器によって実現することができ、光源ＬＡとして発光ダイオードが用いられる場合には周知の直流電源回路を用いることができる。また、点灯部１から光源ＬＡへの入力電力の変更及び光源ＬＡの光出力の変更は、光源ＬＡが放電灯である場合には、点灯部１の出力の周波数の変更によって実現することができ、光源ＬＡが発光ダイオードである場合には、点灯部１の出力電流の変更や、人の目に点滅が認識できない程度に充分に高い周波数での間欠点灯におけるオンデューティの変更によって実現することができる。さらに、光源ＬＡが白熱灯である場合には、点灯部１は位相制御により光源ＬＡへの入力電力の変更及び光源ＬＡの光出力の変更を行うものとすることができる。いずれの場合にも光源ＬＡ及び点灯部１はそれぞれ周知技術で実現可能であるので、詳細な図示並びに説明は省略する。
【００１６】
計時部２としては例えば水晶振動子を用いた周知のクォーツ時計を用いることができる。
【００１７】
記憶部３としては、例えばＥＥＰＲＯＭのような周知の不揮発性メモリを用いることができる。
【００１８】
照度検出部４は、光源ＬＡによって照明される床面や机上面等の面（以下、「被照面」と呼ぶ。）の照度に正比例する照度電圧を出力するものである。言い換えると、照度検出部４は、検出された照度を電圧値（照度電圧）によって表現するアナログ電圧信号を出力する。上記のような照度検出部３は、例えばフォトダイオードと抵抗との組み合わせによって実現することができる。なお、照度検出部４は被照面上に設置されていてもよいが、被照面からの反射光が入射する面（例えば天井面）上に設置されていてもよい。
【００１９】
人体検出部５は、光源ＬＡの光が照射される範囲の少なくとも一部を含む所定の検出範囲における人体の有無を判定し、判定結果に応じた電気信号を制御部６に入力するものである。このような人体検出部５は、例えば人体から放射される熱線（赤外線）を検出する焦電センサを用いて実現することができる。
【００２０】
制御部６は、例えば、デジタル集積回路と、制御部６へのアナログ入力（照度電圧等）をＡ／Ｄ変換して上記のデジタル集積回路に入力するＡ／Ｄ変換回路とが集積化されたマイコンと呼ばれる集積回路を用いて実現することができる。
【００２１】
入力部７は、例えば複数個の押釦スイッチ（図示せず）を用いて構成することができる。なお、入力部７としては、使用者による操作入力を受け付けるタッチパネル等の他の周知の入力手段を用いてもよい。また、入力部７として、上記のように使用者による操作入力を受け付けるものに代えて又は加えて、外部装置から有線又は無線での信号の入力を受け付ける通信手段を備えてもよい。上記のいずれの場合であっても入力部７は周知技術で実現可能であるので、詳細な図示並びに説明は省略する。制御部６は、入力部７に受け付けられた入力に応じて、計時部２における現在時刻の修正や、記憶部３に格納された各種の情報の書き換えや、表示部８における表示の変更などを行う。
【００２２】
表示部８は、液晶パネルや発光ダイオードといった表示素子（図示せず）と、制御部６によって制御されて上記の表示素子を駆動する駆動回路（図示せず）とで構成することができ、やはり周知技術で実現可能であるので、詳細な図示並びに説明は省略する。制御部６の制御により表示部８が表示する内容としては、計時部２における現在時刻や、制御部６が実行中の制御内容や、入力部７に受け付けられた入力内容などが考えられる。
【００２３】
ここで、記憶部３において時間帯に対応付けて格納される制御内容としては、照度検出部４が出力する照度電圧を所定の目標照度電圧に一致させるように点灯部１を制御するという照度一定制御と、照度電圧に関わらず所定の光出力で光源ＬＡを点灯させるように点灯部１を制御するという光出力一定制御とがある。さらに、記憶部３には、制御内容が照度一定制御である各時間帯（以下、「照度一定期間」と呼ぶ。）毎にそれぞれ目標照度電圧が対応付けられて格納され、制御内容が光出力一定制御である各時間帯（以下、「光出力一定期間」と呼ぶ。）毎にそれぞれ光出力が対応付けられて格納されている。
【００２４】
すなわち、制御部６は、計時部２から現在時刻（つまり計時されている時刻）を随時取得するとともに、記憶部３に格納された時間帯のうち現在時刻が該当する時間帯に対応付けられた制御内容を実行する。
【００２５】
つまり、制御部６は、計時部２から得られた現在時刻が光出力一定期間内であれば、該光出力一定期間に対応付けられた光出力に光源ＬＡの光出力を一致させるように点灯部１を制御するという光出力一定制御を行う。
【００２６】
また、制御部６は、計時部２から得られた現在時刻が照度一定期間内であれば、該照度一定期間に対応付けられた目標照度電圧に照度電圧を一致させるように点灯部１をフィードバック制御するという照度一定制御を行う。照度一定制御としては、具体的には例えば、制御部６は、照度電圧が目標照度電圧を下回っている期間であって光源ＬＡの定格電力に対する点灯部１の出力電力の比（以下、「調光比」と呼ぶ。）が所定の調光上限値（例えば１００％）以外である期間には調光比を毎秒１％ずつ上昇させ、逆に照度電圧が目標照度電圧を上回っている期間であって調光比が上記の調光上限値よりも低い所定の調光下限値以外である期間には調光比を毎秒１％ずつ低下させ、上記以外の期間には調光比を維持するように点灯部１を制御する。つまり、目標照度電圧が０Ｖである場合には、照度電
圧に関わらず調光比が上記の調光下限値に維持される。
【００２７】
さらに、記憶部３に格納された各時間帯には、それぞれ、人体検出部５の出力に応じた動作（以下、「人体検出動作」と呼ぶ。）の有無の情報が対応付けて格納されている。制御部６は、人体検出動作が有りとされている時間帯において、人体検出部５により検出範囲に人体が存在しないと判定されている期間には、記憶部３において上記の時間帯に対応付けられている制御内容に関わらず、光源ＬＡが消灯された状態に維持されるように点灯部１を制御する。すなわち、上記の制御内容は、人体検出動作が無しとされている時間帯には人体検出部５の出力に関わらず実行され、人体検出動作が有りとされている時間帯には人体検出部５により検出範囲に人体が存在すると判定されている期間にのみ実行される。上記のような消灯により、消費電力の低減が可能となる。
【００２８】
また、制御部６は、入力部７に受け付けられた入力に応じて、記憶部３における、時間帯の個数や、各時間帯の開始時刻及び終了時刻や、時間帯毎の制御内容（照度一定制御か光出力一定制御かといった種別、並びに、目標照度電圧又は光出力）や、時間帯毎の人体検出動作の有無といった情報を書き換える。
【００２９】
動作の一例を次表に示す。なお、制御内容の欄の括弧内は目標照度電圧又は光出力（調光比）を示す。また、照度電圧（Ｖ）に対する被照面の照度（ｌｘ）の比は例えば５００（ｌｘ／Ｖ）である。
【００３０】
【表１】
2011233427.tif 000003
【００３１】
上記構成によれば、照度検出部４の出力が電圧信号（照度電圧）であることにより、照度検出部４の点検を行う場合には単に照度検出部４の出力電圧を見ればよく、照度検出部４の出力が電流信号である場合と違って点検時に回路を切断する必要がないから、整備性が改善される。
【００３２】
ところで、制御部６が照度電圧から被照面の照度を演算して表示部８に表示させる場合や、入力部７において照度一定制御の設定に当り目標照度電圧に対応する照度（つまり照度一定制御において達成すべき照度）の入力を受け付ける場合には、照度電圧と照度との相互の換算のための換算係数（例えば照度を該照度に対応する照度電圧で除した数値）が記憶部３に格納されている必要がある。しかしながら、照度検出部４が被照面からの反射光を受光するものである場合、上記の換算係数は、被照面の反射率や、照度検出部４と被照面との距離に応じて変化する。そこで、制御部６が入力部７への入力に応じて上記の換算係数を更新する構成を採用してもよい。具体的には例えば制御部６は入力部７において換算係数の更新の指示とともに照度が入力されると、その時点で照度検出部４から得られた照度電圧で上記の照度を除した値を新たな換算係数とするように換算係数を更新する。使用者は、換算係数を更新させる際、上記の照度として、別途に周知の照度計（図示せず
）を用いて被照面上で測定した照度を入力すればよい。上記のような換算係数の更新は、被照面の照度を可能な限り高くして換算係数の精度を高めるために、調光比を１００％に維持する光出力一定制御中に行われることが望ましい。
【符号の説明】
【００３３】
１  点灯部
２  計時部
３  記憶部
４  照度検出部
５  人体検出部
６  制御部
ＬＡ  光源
【図１】
2011233427.tif 000004